(57)【特許請求の範囲】
【請求項１】
上面が平滑面に形成され下面に凹部が形成された鍵の前記上面側を形成する上面形成部を備えた固定型と、前記鍵の下面側を形成する下面形成部を備えた可動型とからなり、前記固定型に対して前記可動型を接面させることにより前記上面形成部と前記下面形成部との間に前記鍵の成形体に対応する成形凹部を形成し、前記成形凹部内に成形材料を射出したのちに前記固定型に対して前記可動型を後退させることにより、前記成形凹部で成形された前記鍵の成形体を取り出すことができる鍵成形用金型であって、
前記固定型に、外部の空気を前記上面形成部に導入できる空気導入部が設けられ、
前記鍵が、略四角棒状の鍵本体と、前記鍵本体の後端側に配置された支点部と、前記鍵本体の後端部と前記支点部とを連結するヒンジ連結部とで構成されたものであり、前記空気導入部が、前記固定型の上面形成部における前記鍵本体の前記ヒンジ連結部側部分に対応する部分と、前記固定型における前記可動型との合わせ面以外の面の所定部分との間に設けられたものであることを特徴とする鍵成形用金型。
【請求項２】
前記固定型における前記上面形成部を含む部分を分割しその対向する分割面間で前記空気導入部を構成した請求項１に記載の鍵成形用金型。
【発明の詳細な説明】
【技術分野】
【０００１】
本発明は、鍵盤装置が備える鍵を成形するための鍵成形用金型に関する。
【背景技術】
【０００２】
従来から、電子オルガン等の鍵盤装置においては、プラスチックの成形体からなる複数の白鍵と黒鍵とが用いられている（例えば、特許文献１参照）。この鍵盤装置の鍵は、前後方向に延び下面に凹部が形成された鍵本体部と、鍵本体部の後端部と鍵盤装置の本体側に設けられた共通取付部とを連結する支点部とで構成されている。
【特許文献１】特許第２６２８６５６号公報
【発明の開示】
【０００３】
このような鍵盤装置の鍵は、鍵成形用金型を用いて成形されており、この鍵成形用金型は、鍵の上面側を形成する固定型と、鍵の下面側を形成する可動型とを備えている。そして、鍵を成形する際には、固定型の成形面に可動型の成形面を対向させた状態で、固定型に対して可動型を接面させることにより鍵成形用金型内に成形凹部を形成し、その成形凹部内に成形材料を射出したのちに固定型から可動型を後退させることにより、成形凹部で成形された鍵の成形体を取り出すことが行われる。
【０００４】
この場合、鍵の成形体は、固定型から後退する可動型とともに移動しエジェクターピンで固定型側に押し出されることにより、固定型と可動型との間の空間部に突出する。そして、鍵の成形体は、所定の取り出し装置で鍵成形用金型から取り出されたのちに、所定の加工が施されて鍵になる。しかしながら、このような鍵は、通常、上面が他の面よりも滑らかな平滑面に形成されている。このため、固定型から可動型を後退させる際に、鍵の成形体が可動型とともに移動しようとすると、鍵の上面と固定型の成形面との間が負圧になり、鍵が固定型側に引っ張られるようになる。この結果、鍵の成形体に歪が生じて不良品が発生することがある。
【０００５】
本発明は、前述した問題に対処するためになされたもので、その目的は、鍵の成形体に歪が生じることを防止して形状精度を向上することのできる鍵成形用金型を提供することである。
【０００６】
前述した目的を達成するため、本発明に係る鍵成形用金型の構成上の特徴は、上面が平滑面に形成され下面に凹部が形成された鍵の上面側を形成する上面形成部を備えた固定型と、鍵の下面側を形成する下面形成部を備えた可動型とからなり、固定型に対して可動型を接面させることにより上面形成部と下面形成部との間に鍵の成形体に対応する成形凹部を形成し、成形凹部内に成形材料を射出したのちに固定型に対して可動型を後退させることにより、成形凹部で成形された鍵の成形体を取り出すことができる鍵成形用金型であって、固定型に、外部の空気を上面形成部に導入できる空気導入部が設けられ、鍵が、略四角棒状の鍵本体と、鍵本体の後端側に配置された支点部と、鍵本体の後端部と支点部とを連結するヒンジ連結部とで構成されたものであり、空気導入部が、固定型の上面形成部における鍵本体のヒンジ連結部側部分に対応する部分と、固定型における可動型との合わせ面以外の面の所定部分との間に設けられたものであることにある。
【０００７】
このように構成した本発明の鍵成形用金型では、鍵の上面側を形成する上面形成部を備えた固定型に、外部の空気を上面形成部に導入できる空気導入部を設けている。したがって、成形材料を成形凹部内に射出して鍵の成形体を成形したのちに、固定型から可動型を後退させる際に、鍵の成形体の上面側と固定型の成形面との間が負圧になろうとしても、空気導入部から外部の空気が鍵の成形体の上面側と固定型の成形面との間に導入されるため、負圧が解消され鍵の成形体は、可動型とともに、固定型からスムーズに離れていく。これによって、鍵の成形体に歪を生じさせることなく、鍵の成形体を鍵成形用金型から取り出すことができる。
【０００８】
この場合、空気導入部は、空気を通過させることはできるが、成形材料は通過させない幅の狭い隙間や小さな孔で構成しておく。また、固定型を、鍵の上面を形成する上面形成部だけを備えた金型で構成し、鍵における上面以外の面を可動型で形成するようにしてもよいし、固定型を、鍵の凸面側、すなわち鍵の成形体の上面と外側面とを形成する凸面形成部を備えた金型で構成し、可動型を、鍵の成形体の凹面側、すなわち鍵の下面と内側面とを形成する凹面形成部を備えた金型で構成してもよい。要は、鍵の上面を形成する上面形成部が固定型に備わっていればよい。また、鍵の成形体とは鍵成形用金型で成形される成形体であり、成形後に所定の加工が施されることにより鍵が得られる。さらに、鍵が、略四角棒状の鍵本体と、鍵本体の後端側に配置された支点部と、鍵本体の後端部と支点部とを連結するヒンジ連結部とで構成されたものである場合には、ヒンジ連結部の強度は他の部分の強度よりも小さくなる。このため、鍵の成形体を成形したのちに、固定型から可動型を後退させる際には、ヒンジ連結部の近傍に歪が生じやすくなる。このため、空気導入部を、固定型の上面形成部における鍵本体のヒンジ連結部側部分に対応する部分と、固定型における可動型との合わせ面以外の面の所定部分との間に設けることにより、ヒンジ連結部の近傍に固定型側に引っ張られる力が加わらなくなり歪が生じることを防止できる。この結果、鍵の形状に応じた適正な形状の成形体の成形ができるようになる。
【０００９】
また、本発明に係る鍵成形用金型の他の構成上の特徴は、固定型における上面形成部を含む部分を分割しその対向する分割面間で空気導入部を構成したことにある。これによると、鍵の成形体を成形して、固定型から可動型を後退させる際に、固定型の分割面間から外部の空気が鍵の成形体の上面と固定型の成形面との間に導入されるため、鍵の成形体は、可動型とともに、固定型からスムーズに離れていく。これによって、鍵の成形体に歪を生じさせることなく、鍵の成形体を鍵成形用金型から取り出すことができる。この場合、固定型の所定部分を分割するだけですむため、空気導入部の形成が容易になる。
【発明を実施するための最良の形態】
【００１２】
以下、本発明の一実施形態を図面を用いて説明する。図１は、同実施形態にかかる鍵成形用金型で成形される白鍵１０を示している。白鍵１０は、合成樹脂で一体成形されており、略四角棒状の鍵本体１１と、鍵盤装置の本体側に設けられた共通取付部（図示せず）に取付けられる支点部１２と、鍵本体１１の後端部と支点部１２の側部とを連結するヒンジ連結部１３とで構成されている。鍵本体１１は、下方を開放させて長手方向に直交する断面がコ字状になるように形成されており、その前端部には、下方及び後方を開放させて下方に向って突出した横断面がコ字状の前壁部１１ａが形成されている。
【００１３】
また、鍵本体１１の一方の側面（図１に示した側面の反対側の側面）の中央から後部側にかけての部分に黒鍵（図示せず）を配置するための凹部が形成されている。そして、鍵本体１１の上面は、押鍵時の感触を良好なものにするために滑らかな鏡面状に形成されている。また、鍵本体１１における前壁部１１ａよりも後部側部分の下面には、略垂直下方に延びるガイド１４が鍵本体１１と一体的に形成されている。ガイド１４は、下方および後方を開放させて横断面をコ字状にして形成されている。このガイド１４は、鍵盤装置の本体側に設けられたハンマー機構に連結され押鍵時に所定の質量感を出すために設けられている。
【００１４】
そして、鍵本体１１の下面におけるガイド１４の後部側に、下方に突出したスイッチ駆動部１５が形成されている。スイッチ駆動部１５は、鍵本体１１の下方に設置されたプリント基板の鍵スイッチを押圧するためのものであり、鍵スイッチに対向するように配置される。支点部１２は、略中央に孔（図示せず）が形成された水平板状に形成され、前記孔に突起等の連結部材を係合させることにより共通取付部に取付けられる。
【００１５】
ヒンジ連結部１３は、鍵本体１１の後端下部から後方に延びる水平片１３ａと、水平片１３ａの後端下部に連結された横断面形状がＨ形の揺動片１３ｂとからなる可撓性を有するやや薄肉の部材で構成されており、揺動片１３ｂの後端下部は、支点部１２に連結されている。鍵本体１１は、水平片１３ａが撓むことによって前端側部分を上下に揺動させることができ、揺動片１３ｂが撓むことによって前端側部分を左右に揺動させることができる。すなわち、白鍵１０は、支点部１２を介して鍵盤装置の共通取付部に取付けられ、ヒンジ連結部１３が撓むことによって支点部１２を支点とし前端部を上下および左右に揺動可能にして支持される。そして、複数の白鍵１０と複数の黒鍵が所定の配置で設置されることにより鍵盤が形成される。
【００１６】
図２は、前述した白鍵１０を成形するための鍵成形用金型２０を示している。鍵成形用金型２０は、固定型２１と可動型２２とを備えており、射出成形装置（図示せず）に着脱可能に取付けられている。固定型２１は、固定側取付板等を介して射出成形装置の躯体側に固定されており、固定側取付板の中央部に、射出成形用の溶融樹脂材料を鍵成形用金型２０内に射出するための射出ノズルが取り付けられている。そして、この射出ノズルの先端部は、固定型２１に形成されたランナー形成用凹部２３に接続されている。
【００１７】
この鍵成形用金型２０は、一度に４個の白鍵１０を成形できるように、４個の成形凹部２４を備えたものであり、各ランナー形成用凹部２３は、固定型２１の中央部近傍に位置する射出ノズルから四方に分散して各成形凹部２４に延びている。図２はそのうちの一つの成形凹部２４が形成された部分を示している。固定型２１は、鍵成形用金型２０内で成形される成形体１０ａである白鍵１０の部分の上面側を形成するとともに、ランナー部１０ｂが成形される部分であり、固定型２１の中央側に位置する後部形成部２１ａと、固定型２１の外周側に位置する前部形成部２１ｂとで構成されている。
【００１８】
そして、後部形成部２１ａと前部形成部２１ｂとの下面（図２の状態での下面）に白鍵１０の上面の形状に対応する凹部からなる上面成形用凹部２４ａが形成されている。この上面成形用凹部２４ａにおける後部形成部２１ａ側部分にランナー形成用凹部２３が連通しており、射出成形装置の本体側から供給される溶融樹脂材料は、ランナー形成用凹部２３を介して上面成形用凹部２４ａ内に送られる。また、後部形成部２１ａと前部形成部２１ｂとの分割面２５間は、本発明に係る空気導入部を構成するもので、上面成形用凹部２４ａ内に射出された溶融樹脂材料を通すことはないが、外部の空気を上面成形用凹部２４ａ内に導入できる幅の小さな隙間からなっている。
【００１９】
可動型２２は、鍵成形用金型２０内で成形される白鍵１０の成形体１０ａにおける製品部の下部側部分を成形するためのもので、上面（図２の状態での上面）に白鍵１０の下面と内外両側面の形状に対応する凹部からなる下面成形用凹部２４ｂが形成されている。可動型２２は、固定型２１に対して進退可能になっており、固定型２１に接面したときに、上面成形用凹部２４ａと下面成形用凹部２４ｂとで、白鍵１０の成形体１０ａの形状と等しい空間からなる成形凹部２４が形成される。また、可動型２２の所定部分には、下面成形用凹部２４ｂを形成する上面部分から下面にかけて上下に貫通する挿通穴２６が設けられ、この挿通穴２６にエジェクターピン２７（１個だけ図示している）が挿通している。
【００２０】
このエジェクターピン２７は、駆動装置（図示せず）の駆動により上昇して、上端部を、下面成形用凹部２４ｂの形成面から突出させる。可動型２２を固定型２１に接面させて、成形凹部２４内に溶融樹脂材料を射出する際には、エジェクターピン２７の先端面は、下面成形用凹部２４ｂの形成面と同じ位置になって、溶融樹脂材料が挿通穴２６内に侵入することを防止するが、成形凹部２４内の空気は、外部に逃がすことができる。このため、成形凹部２４内の空気が成形凹部２４内に留まって成形体１０ａの内部に入り込むことが防止される。
【００２１】
このように構成された鍵成形用金型２０を用いて白鍵１０を成形する際には、固定型２１と可動型２２と閉じた状態の鍵成形用金型２０の成形凹部２４内に、溶融樹脂材料を射出する。これによって、溶融樹脂材料は、射出ノズルからランナー形成用凹部２３を通過して、上面成形用凹部２４ａと下面成形用凹部２４ｂとで形成される成形凹部２４内に充填されていく。その際、成形凹部２４内の空気は、可動型２２とエジェクターピン２７との隙間から外部に押し出される。そして、成形凹部２４内の溶融樹脂材料が冷却されて固化すると、可動型２２は、固定型２１から後退していく。このとき、成形凹部２４内で成形された成形体１０ａは、可動型２２とともに、移動していく。
【００２２】
この場合、の成形体１０ａの上面と上面成形用凹部２４ａの表面との間が負圧になり、成形体１０ａに、固定型２１側に引っ張られる力が加わるが、同時に、分割面２５間から外部の空気が成形体１０ａの上面と上面成形用凹部２４ａの表面との間に導入され、成形体１０ａを固定型２１側に引っ張ろうとする力はすぐに解消される。これによって、成形体１０ａを破損することなくスムーズな型開きが行える。そして、型開きの後にエジェクターピン２７を下面成形用凹部２４ｂの形成面から突出させることにより、成形体１０ａの取り出しが行われる。また、成形体１０ａを可動型２２とともに固定型２１から離す際に、成形体１０ａランナー部１０ｂとは分離される。そして、ランナー部１０ｂは、固定型２１と固定側取付板との間を開くことによって外部に取り除かれる。
【００２３】
このように、鍵成形用金型２０では、白鍵１０の上面を形成する上面形成用凹部２４ａを備えた固定型２１を、後部形成部２１ａと前部形成部２１ｂとに分割してその分割面２５間に溶融樹脂材料は浸入できないが外部の空気を上面形成用凹部２４ａ内に導入できる隙間を設けている。したがって、溶融樹脂材料を成形凹部２４内に射出して成形体１０ａを成形したのちに、固定型２１から可動型２２を後退させる際に、成形体１０ａの上面と固定型２１の成形面との間が負圧になろうとしても、分割面２５間から外部の空気が成形体１０ａの上面と固定型２１の成形面との間に導入されるため、成形体１０ａは、可動型２２とともに、固定型２１からスムーズに離れていく。これによって、成形体１０ａに歪を生じさせることなく、成形体１０ａを鍵成形用金型２０から取り出すことができる。
【００２４】
また、空気導入部の形成が、固定型２１を後部形成部２１ａと前部形成部２１ｂとに分割するだけですむため容易である。さらに、本実施形態に係る鍵成形用金型２０で成形される白鍵１０は、鍵本体１１と、鍵本体１１の後端側に配置された支点部１２と、鍵本体１１の後端部と支点部１２とを連結するヒンジ連結部１３とで構成されており、このような白鍵１０を成形する場合には、ヒンジ連結部１３の近傍に歪が生じやすくなる。このため、固定型２１の分割面２５を鍵本体１１におけるヒンジ連結部１３に近い部分に設けることにより、ヒンジ連結部１３の近傍に歪が生じることを防止できる。この結果、白鍵１０の形状に応じた適正な形状の成形体１０ａの成形ができるようになる。
【００２５】
また、本発明に係る鍵成形用金型は、前述した実施形態に限るものでなく、適宜変更実施が可能である。例えば、前述した実施形態においては、鍵を白鍵１０としたが、黒鍵を成形する場合にも黒鍵の形状に対応した成形凹部および分割面を備えた鍵成形用金型を用いて黒鍵を成形することができる。また、前述した実施形態では、空気導入部を、固定型２１を後部形成部２１ａと前部形成部２１ｂとに分割することによって形成しているが、この空気導入部は、分割面２５間の隙間以外のもので構成することもできる。
【００２６】
例えば、固定型２１に挿通穴２６のような穴を設け、その穴にピンを挿通させることにより空気導入部を構成してもよい。さらに、前述した実施形態では、固定型２１で、成形体１０ａの上面を成形し、可動型２２で、成形体１０ａの下部側部分を成形するようにしているが、これに限らず、例えば、固定型２１で、成形体１０ａの上面および外側面を成形し、可動型２２で、成形体１０ａの下面および内側面を成形するようにしてもよい。
【図面の簡単な説明】
【００２７】
【図１】本発明の一実施形態に係る鍵成形用金型で成形される白鍵を示した側面図である。
【図２】本発明一実施形態に係る鍵成形用金型の要部を示した断面図である。
【符号の説明】
【００２８】
１０…白鍵、１０ａ…成形体、１１…鍵本体、１２…支点部、１３…ヒンジ連結部、２０…鍵成形用金型、２１…固定型、２１ａ…後部形成部、２１ｂ…前部形成部、２２…可動型、２４…成形凹部、２４ａ…上面形成用凹部、２４ｂ…下面成形用凹部、２５…分割面。
【図１】
0005167889.tif 000002
【図２】
0005167889.tif 000003